(57)【特許請求の範囲】
【請求項１】
複数の巻回型の単電池を２列以上に配列し一体化して集合電池を具備する電池パックにおいて、この電池パックを収容する容器に接する少なくとも１本の単電池の側面外周部の少なくとも３０％が、気孔率が３０％以上のポリテトラフルオロエチレン製の多孔質シート状体で被覆されていることを特徴とする電池パック。
【請求項２】
前記電池パックにおいて、前記容器の１面に接する全ての単電池の側面外周部の少なくとも３０％が、前記多孔質シート状体で被覆されていることを特徴とする請求項１に記載の電池パック。
【請求項３】
前記電池パックにおいて、複数の前記単電池を千鳥状に配列したことを特徴とする請求項１ないし請求項３のいずれかに記載の電池パック。
【請求項４】
前記電池パックにおいて、前記配列の長手方向に隣接する単電池間に、１００μｍ以上の空隙を形成したことを特徴とする請求項１ないし請求項４のいずれかに記載の電池パック。
【請求項５】
前記電池パックにおいて、前記多孔質シートの表面に、気孔率２０％以下の材料を被覆・積層した材料を単電池の表面に被覆することを特徴とする請求項１ないし請求項５のいずれかに記載の電池パック。
【請求項６】
前記電池パックにおいて、前記単電池を支持する支持板を、前記配列の長手方向の列間に挿入することを特徴とする請求項１ないし請求項５のいずれかに記載の電池パック。
【請求項７】
前記電池パックにおいて、前記支持板が、アルミニウム板であることを特徴とする請求項６に記載の電池パック。
【請求項８】
前記電池パックにおいて、前記単電池がリチウムイオン二次電池であることを特徴とする請求項１ないし請求項６のいずれかに記載の電池パック。
【請求項９】
前記電池パックにおいて、前記単電池が熱可塑性樹脂フィルム、プラスチック、もしくは金属のいずれか一種の材料で一体化されていることを特徴とする請求項１ないし請求項８のいずれかに記載の電池パック。
【請求項１０】
電池パックを収容する容器に接する少なくとも１本の巻回型の単電池の側面外周部の少なくとも３０％が、気孔率が３０％以上のポリテトラフルオロエチレン製の多孔質シート状体で被覆され、この単電池を含む複数の単電池を２列以上に配列し一体化して構成した電池パックを筐体内に収容して用いたことを特徴とする充電式掃除機。
【発明の詳細な説明】
【０００１】
【発明の属する技術分野】
本発明は、複数のリチウムイオン二次電池のような巻回型の電池から構成される電池パック及びこれを用いた充電式掃除機に関する。
【０００２】
【従来の技術】
リチウムイオン二次電池は小型で軽量、そして３００回以上の繰り返し充放電が可能であるため、携帯型パーソナルコンピュータや携帯電話を初めとする多くの電子機器に使用されており需要が増加している。特にニッカド二次電池（Ｎｉ−Ｃｄ）やニッケル水素二次電池（Ｎｉ−ＭＨ）に比較して小型軽量化が可能になるためその需要が増加している。
リチウムイオン二次電池は正極電極、負極電極、セパレータ、電解液を主な構成材料として扱っており製造工程は、大きく分けて▲１▼正極塗液、負極塗液の作製、コーティング、乾燥、圧延による電極作製工程、▲２▼正極電極、負極電極、セパレータの巻き取りによる電極コイルの作製工程、▲３▼電極コイルを電極ケースヘの挿入と電解液の充填工程、▲４▼封口工程の４つに分けられる。
【０００３】
まず第１の電極製造工程では金属箔に活物質を塗布、圧着し電極を製造する。正極電極では正極活物質であるＬｉＣｏＯ２、アセチレンブラックやグラファイトなどの炭素材料導電剤、バインダーとなるフツ化ポリビリニデン（ＰＶＤＦ）などを有機溶剤Ｎ−メチルピロリドンなどに溶解したものを混練してペースト状塗工液を作製する。作製した塗液を厚み１５〜２０μｍのアルミニウム箔の両側に均一な厚みにコーティングする。コーティングはドクターブレードやダイコータなどの塗工装置を用いて行う。続いて電極を乾燥器中を通過させ、ペースト作製に必要であった分散溶媒を除去する。この後、乾燥電極をロールプレスにより圧延し、電極層の密度を増加させるとともに電極厚みを所定の厚みとする。電極はロールプレスなどにより高密度化、平滑化を行わないと一定体積の電池缶に入る活物質の量が減少するばかりでなく、以降の電極の巻き取り工程での歩留まりが悪くなり多量の不良品が出ることになる。
【０００４】
負極には負極活物質としてカーボンやグラファイトが使われる。バインダーにはカルボキシメチルセルロース（ＣＭＣ）、スチレンブタジエンゴム（ＳＢＲ）、これらを水に分散させて負極のペースト状塗工液を作製する。作製した塗液を厚み１５〜２０μｍの銅箔の両側に均−な厚みにコーティングする。コーティングは正極材料の作製と同様にドクタープレードやダイコータなどの塗工装置を用いて行う。続いて電極を乾燥器中を通過させ、ペースト作製に必要であった分散溶媒を除去する。この後、乾燥電極をロールプレスにより圧延し、電極層の密度を増加させるとともに電極厚みを所定の厚みとする。
【０００５】
第２の工程では電極を所定の巾にスリットした後、所定の長さに切断する。そして集電体金属が露出している部分に電極リードタブを溶接する。次の巻き取り工程ではタブをつけた正極電極と負極電極を厚み１５〜２０μｍのセパレータを介して巻き芯のまわりに巻き取り、巻き取った電極がほどけないようにテープでとめ電池コイルを作製する。
【０００６】
第３の工程では深絞り加工により作製した円筒缶底に電池コイルを挿入すると同時に負極リードを缶底に溶接する。続いて正極キャップと負極となる缶とを絶縁するためのガスケツトを電池缶に装着する。この後、正極集電体に溶接したアルミニウムのリードタブの−端を封口キャップと溶接する。電解液の注入は減圧下、一定量の電解液を注入し大気圧に戻すと電解液は缶底まで浸透させる。電解液としては例えば１モルの六弗化リン酸リチウム（ＬｉＰＦ６）をエチレンカーボネート（ＥＣ）／メチルエチルカーボネート（ＥＭＣ）の混合溶媒に溶解した電解液などを用いる。
【０００７】
最後の第４の工程ではかしめ機を用いて正極キャップをかしめ電池を密閉する。かしめた負極部と正極キャップと短絡しないように絶縁シールを貼り円筒缶周囲に絶縁のために熱収縮チューブなどを用いて被覆する。このように作製した単電池を所定の個数接続して組み電池とし、さらに充放電制御回路や保護回路を組み込んで電池パックとする。
【０００８】
図５に、この電池パックを用いて駆動する電池駆動式掃除機の概略を示す断面図を示す。この掃除機は、モータ１を駆動して吸引ファン２を回転させホース３から空気と共に塵や挨のゴミが吸引される。吸引された空気とゴミは吸引ダクト４を通過して集塵容器であるゴミパック５の入り口５ａからゴミパック内５に入り、大部分のゴミはゴミパック５に捕集される。ゴミパック５により捕集できなかったサブミクロンサイズのゴミはゴミパック５を通過する空気に含まれる。この空気はゴミパック５の出口を兼ねた第１フィルター５ｂを通過した後、吸気ファン２を通り一部が電池パック６を通過して吸気電動機１の外部に排出される。
【０００９】
このようなコードレスクリーナに複数のリチウムイオン二次電池から構成される電池パックを用いて繰り返し使用した場合、電池パックの容量の劣化が早いことが判明した。つまり電子機器に搭載せずに電池パック単体で充放電を繰り返した場合３００回充放電繰り返しても容量は初期値の８０％以上であるの比較して、例えばクリーナに搭載した場合には４０％〜５０％にまで低減していた。この電池パックから電池を取り出して電池を分解して内部を調べたところ、正極電極と負極電極において多くの部分で活物質層が集電体から剥離していることが分かった。正極電極ではＰＶＤＦと呼ばれるバインダーが接着材の役割をはたし、活物質の酸化物、例えばＬｉＣｏＯ２粒子とアセチレンブラックやグラファイトなどの導電性助剤などの粒子を集電体であるアルミニウム箔に塗着している。しかしながらこの結合の強度は比較的に弱いため、振動や衝撃により簡単に壊れてしまう。例えば、電極の一部を超音波洗浄器に入れて数分間洗浄すると活物質層はアルミニウム箔の集電体から簡単に剥離してしまうことが分かる。クリーナには３００００ｒｐｍ前後の回転数で使用される吸引モータが使用されているためクリーナに搭載された電池パックはモータの回転による振動を受けている。この振動が電池内部の電極に伝わり活物質層と集電体との結合を破壊する結果となるものと考えられる。またクリーナは使用中に壁や置物などに衝突し、この時衝撃を受けることが頻繁に起こる。したがってクリーナに搭載された電池では活物質層が集電体から剥離し易いと言える。
【００１０】
この振動による剥離の問題はクリーナのみならずモータなどの回転機器を用いた電子機器に電池パックを用いた場合に生じる。例えば、ロボット掃除機、無停電電源（ＵＰＳ：Ｕｎｉｎｔｅｒｒｕｐｔｅｄ  Ｐｏｗｅｒ  Ｓｏｕｒｃｅ）、ロボット、アシスト自転車、電動車椅子などが挙げられる。
【００１１】
【発明が解決しようとする課題】
電池パックをモータなどの回転機器を搭載するクリーナなどに搭載して使用した場合、モータの振動により電極の活物質層が集電体から剥離して電池の容量が使用回数とともに劣化する問題があった。
本発明は上記課題を解決するために成されたもので、振動や衝撃に対して活物質層が集電体から剥離することを防止し電池容量の低下が少ない電池パックを提供することを課題とする。
【００１２】
【課題を解決するための手段】
第１の本発明は、複数の巻回型の単電池を２列以上に配列し一体化して集合電池を具備する電池パックにおいて、この電池パックを収容する容器に接する少なくとも１本の単電池の側面外周部の少なくとも３０％が、気孔率が３０％以上のポリテトラフルオロエチレン製の多孔質シート状体で被覆されていることを特徴とする電池パックである。特に前記多孔質シート状体としてポリテトラフルオロエチレンを用いることにより材料の寿命が延長されるため好ましい。
【００１３】
前記第1の発明の電池パックにおいて、前記容器の１面に接する全ての単電池の側面外周部の少なくとも３０％が、前記多孔質シート状体で被覆されていることが、振動元帥機能を最大限発揮する上で、好ましい。
【００１４】
また前記第１の発明の電池パックにおいて、複数の前記単電池を千鳥状に配列することが、電池パックの振動を最も減衰するだけでなく容積効率を改善する上で好ましい。
また、前記配列の長手方向に隣接する単電池間に、１００μｍ以上の空隙を形成することによって、単電池相互の振動時の干渉を最小限に抑制し、振動の伝達を阻止するために好ましい。
【００１５】
前記第１の発明の電池パックにおいて、前記多孔質シートの表面に気孔率２０％以下の材料を単電池の表面に被覆することが好ましい。
【００１６】
前記第１の発明の電池パックにおいて、前記単電池を支持する支持板を、前記配列の長手方向の列間に挿入することによって、単電池の慣性重量が増加し、共振抑制の効果が発揮されるために好ましい。また、前記支持板としては、アルミニウム板であることが電池総重量を上昇させずに共振抑制効果を期待できるため好ましい。
【００１７】
また、前記第１の発明の電池パックにおいて、リチウムイオン二次電池を前記単電池として用いることが、比較的小さな容積から大きなエネルギーを取り出すことができるため好ましい。
さらに、前記単電池が、熱可塑性樹脂フィルム、プラスチック、もしくは金属のいずれか一種の材料で一体化されていることが振動減衰の効果が大きく好ましい。
【００１８】
第２の本発明は、電池パックを収容する容器に接する少なくとも１本の巻回型の単電池の側面外周部の少なくとも３０％が、気孔率が３０％以上のポリテトラフルオロエチレン製の多孔質シート状体で被覆され、この単電池を含む複数の単電池を２列以上に配列し一体化して構成した電池パックを筐体内に収容して用いたことを特徴とする充電式掃除機である。
【００１９】
【発明の実施の形態】
本発明に係わる電池パックについて説明する。
（単電池）
本発明の巻回型の電池とは、図１に見られるように、正負極として、集電体である金属箔表面に活物質層を形成したシート状体である正極４及び負極６を、セパレータ５を介して捲回し、一方の電極を兼ねた容器１に収容し、電解液を注入して封口して構成したものである。本発明においては、この電池を単電池と略称する。この発明においては、この単電池として、特に発電エネルギー密度が高いことから、リチウムイオン二次電池が好ましい。このリチウムイオン二次電池は、負極端子を兼ねる円筒状の容器に正極、負極及び電解液を含浸したセパレータからなる発電要素が収容されていてもよいし、角形容器に発電要素を収容したものでも差し支えない。
【００２０】
（被覆材）
本発明の電池パックを構成する複数の単電池の内の少なくとも１本は、図２に示すように、単電池２１の側面外周部の少なくとも一部に多孔質シート状体の被覆材２２を被覆したものを用いる。
この単電池を被覆する被覆材は、気孔率が高いほど振動の影響を緩和できるので気孔率が３０％以上の材料を用いることが好ましい。また、気孔率３０％以上の多孔質シート状体の表面にさらに気孔率が２０％以下のシート状体を積層形成して捲回してもよい。あるいは、異なる気孔率を有する複数層を一体化したシート状体で、表裏面で気孔率が異なる材料を用いて、単電池に捲回することにより振動をさらに抑制できる。この多孔質シート状積層体の積層数は、２層でも３層でもかまわないが、２層の場合は単電池に接する側の材料の気孔率は３０％以上で、この上に積層する材料の気孔率は２０％以下とする必要がある。多孔質シート状積層体を、３層とする場合は、最外層である表面層として、３０％以上の気孔率を有する多孔質シート状体を積層しても構わない。
本発明の多孔質シート状体の材質は、ポリテトラフルオロエチレン（ＰＴＦＥ）を主体とする材料を用いる。ポリエチレンやポリプロピレンが経時的に変形するのに対してＰＴＦＥを用いた場合は経時変化が少なく、振動吸収能力の劣化が少ないためより好ましい。さらにＰＴＦＥは不燃性であるため安全上好ましい。積層して多孔質シート状体積層体を形成する場合には、さらに材質が異なる層があってもよい。
【００２１】
この多孔質シート状体もしくは多孔質シート状体積層体の厚さは、１００μｍ〜５ｍｍの範囲が好ましい。厚さが、この範囲より薄いと、振動軽減の効果が発揮されず、一方、厚さがこの範囲より厚いと、振動軽減が期待ほど改善されず、電池パックの容積効率が低下して不経済である。本発明においては、この多孔質シートを接着剤もしくは粘着剤を用いて単電池に接着もしくは粘着して用いても良いし、あるいは単電池の外形に合うように多孔質シートを筒状に成形することにより接着剤を用いることなく単電池に被覆することができる。上記、被覆材は、単電池の側面外周部を被覆するが、単電池側面外周部全体に形成してもよいが、その一部に形成してもよい。この場合、単電池側面外周部の少なくとも３０％を被覆するように形成する。被覆率が３０％を下回った場合、十分な振動防止機能を果たし得ない。また、この被覆を単電池の側面外周部の一部に形成する場合、単電池の側面中央部に貼着することが好ましい。
【００２２】
（電池パックの形状）
本発明の電池パックは、上記複数の単電池を組み合わせて用いるが、その配列としては、複数の単電池を１列に並べた単電池列を、少なくとも２列に形成するように組み合わせることが好ましい。従って、電池パックを構成する単電池の数としては、少なくとも４本となる。
図３に本発明において採用できる電池パックの配列の例を示す。図３の配列は、１２個の単電池を組み合わせて構成するものである。１２個の単電池を配列する方法としては、２列×６列の配列か、３列×４列の配列が考えられるが、振動を緩和する観点から縦２列×横６列に並べた配列が好ましい。また、縦２列×横６列の配列においては、図３に示すように、単電池間の間隔などの要件によって、図３に図示する３種類の配列が考えられる。図３中、（Ａ）タイプは単電池を碁盤の目のように整列した配列、（Ｂ）タイプは単電池間に隙間を作らず千鳥状に配置した配列、（Ｃ）タイプは単電池間に隙間を形成して千鳥状に配置した配列である。（Ｃ）タイプの電池パックは振動を最も緩和できかつ電池パックを小型化できるために好ましい。また、縦２列×横６列の電池配列の場合、縦に並べた２個よりも横に並べた６個の表面を気孔率が３０％以上の材料を用いて被覆することにより、振動をより抑制できるため好ましい。
なお、図３においては、単電池３１間に支持板３２を配置した例を示したが、もちろんこの支持板を設けることなく配置してもよい。
【００２３】
（単電池間隔）
図３（Ｃ）に示すように、単電池表面の一部を被覆した後の電池間の隙間を１００μｍ以上にすることにより電池同士の共振が抑制できる振動抑制の効果が高くなる。一方、あまり大きくとりすぎると電池パック自体のサイズが大きくなり、容積効率が低下するため好ましくない。この間隔としては、１００μｍ以上５ｍｍが適当である。
【００２４】
（支持板）
単電池間に支持板を介装させることにより、支持板がない場合に比較して単電池の振動は大幅に抑制できる。特に材質が限定されることはないが、質量が大きい方が単電池の振動を抑制する効果が大きい。しかしながら、あまり質量が大きくなると電池パックの重量が重くなるため好ましくない。この観点から、密度が２．７ｇ／ｍ３のアルミニウムが、振動の抑制と電池パックの軽量化を両立できるため好ましい。また、支持板の形状は図３の（Ｃ）タイプの電池配列に合わせて波状にすることが好ましい。板巾に関しては単電池を支持するために巾の細い支持板を２本用いて電池の上方と下方で支持しても良い。板巾が広い場合は第４図に示すように板に穴をあけると振動を緩和する効果が大きくなり、また軽量化も達成できる。
【００２５】
（一体化構造）
上述した複数の単電池を、熱可塑性樹脂フィルム、プラスチック、金属の中から選ばれる少なくとも一種の材料で一体化することによりさらに振動を軽減できるため電池パックを繰り返し使用した場合の電池容量の劣化を飛躍的に抑制できる。
また、本発明の電池パックは、単電池の正負極の電極を直列もしくは並列に相互に導電体で電気接続して集合電池として用いられる。その際に、導電体として、剛性の高い金属材料を用いることにより、単電池間を固定し、振動に対して一体化した挙動を示す。このように一体化した電池パックに加わった振動は、全ての単電池に伝達されるが、構成単電池の内の少なくとも１個に振動を吸収するように被覆材が形成されているために、この単電池に固定化され一体化している全ての単電池の振動が減衰するものである。従って、振動吸収のための被覆材を形成した単電池は、もちろん１個であっても効果は発揮するが、複数の単電池に振動吸収のための被覆を施した方が振動減衰の効果は大きい。特に、電池パックの長手方向側面に接する全ての単電池に振動吸収用の被覆材を形成していることが望ましい。
【００２６】
（充電式掃除機）
以下に、本発明の充電式掃除機について説明する。この充電式掃除機は、掃除機の筐体内に電池パックを収容し、掃除機の駆動中は、使用後に充電するものである。この掃除機の電池パックとして、本発明の電池パックを用いることによって電池パックの寿命、すなわち再使用後の電池容量の低下を阻止する点で好ましい。図５に本発明の充電式掃除機を示す。図５（Ｂ）が本発明の充電式掃除機の側面断面図であり、図５（Ｂ）のＡ−Ａ線の切断面を示したのが図５（Ａ）である。図５において、５１が本発明の電池パックであり、この電池パックは、掃除機のケーシング５４内に配置されている電池パックの収容容器である電池パック収納部５２中に収納されている。そして、この電池パック収納部５２に接してモータ５３が配置されており、このモータ駆動時の振動が電池パック５１に伝達され、電池が共振して電池の電極が剥離する現象を発生させる。本発明の充電式掃除機は、この電池パックとして、上述したように、電池パックを構成する単電池の外周面に被覆材を形成することによって、この問題を解決するものである。なお、本発明の電池パックにおいて、被覆材で被覆した単電池は、電池パック収納部５２の壁面に密に接していれば、モータの振動が伝達される面に接して配置されていても、反対側の面に接して配置されていても差し支えない。
【００２７】
【実施例】
以下、本発明の好ましい実施例を図面を参照して詳細に説明する。
（実施例１）
１８６５０サイズで容量１．５Ａｈのリチウムイオン二次電池１２個を用いて２並列を１単位としてこれを６単位直列に接続した。電池配列はＣタイプで縦２列×横６列である。電池間には１ｍｍの隙間を設けた。横に並べた１列６個の電池には気孔率６０％で厚み５００μｍのＰＴＦＥシートを電池の周囲に巻き付けた。横に６個これを２列に配置したこの列の間に巾６０ｍｍのアルミニウムの板を入れた。アルミニウム板には図２のような穴を形成した。この電池パックを入力１６０Ｗのコードレスクリーナに搭載して充電と放電を３００回繰り返し電池容量を測定した。充電は定電流定電圧充電で３Ａで４．１５Ｖまで５時間で行った。充電後クリーナに搭載してクリーナを「強モード」でモータ停止まで運転した。運転時の放電電流は平均８．２Ａで約２２分持続した。３００回使用後の電池容量は１．２３Ａｈでこれは初期容量の８２％にあたることが分かった。
【００２８】
（比較例１）
比較例１として実施例１と同じ１２本の電池を用いて電池配列をＣタイプとした。電池にはまったく被覆しなかった。この電池パックを実施例１と同じ方法で３００回使用した結果、３００回使用後の電池容量は初期容量の４８％であった。
【００２９】
（実施例２）
被覆率のみ異なりそれ以外は実施例１と同じ電池パックを２セット作製し、自走式ロボットクリーナ用電源に使用した。３００回使用後の電池容量は２つのセットともに初期容量の８１％であった。
【００３０】
（比較例２）
比較例２として比較例１と同じ電池パックを２セット作製し、３００回使用後の容量を測定した結果電池容量は初期容量の４６％と４７％であった。
【００３１】
（実施例３）
１８６５０サイズで容量１．５Ａｈのリチウムイオン二次電池８個を用いて２並列を１単位としてこれを４単位直列に接続した。電池配列はＣタイプで縦２列×横４列である。横に並べた１列４個の電池には気孔率６０％で厚み５００μｍのＰＴＦＥシートを電池の周囲に巻き付け、電池闇には１ｍｍの隙間を設けた。横に４個これを２列に配置したこの列の間に巾６０ｍｍのアルミニウムの板を入れた。アルミニウム板には図４のような穴を形成した。この電池パックを入力１４０Ｗのロボット犬に搭載して充電と放電を３００回繰り返し電池容量を測定した。充電は定電流定電圧充電で３Ａで４．１５Ｖまで５時間で行った。充電度ロボット犬に充填し動かした。ロボット犬の動作時間は運動形態にも依存するが１５分〜２０分持続した。３００回使用後の電池容量は初期容量の８３％にあたることが分かった。
【００３２】
（比較例３）
比較例３として実施例３と同じ８本の電池を用いて電池配列をＣタイプとした。電池にはまったく被覆しなかった。この電池パックを実施例１と同じ方法で３００回使用した結果、３００回使用後の電池容量は初期容量の４８％であった。
【００３３】
（実施例４〜１２、比較例４〜６）
表２に示すような電池パックのパック構造、被覆材料、気孔率、被覆材厚み、被覆材層構成、被覆率、被覆電池数、電池間間隔、支持板の構成で、電池パックを構成し、搭載機器の欄に示す機器に搭載した電池パックについて、実施例１と同様にして３００回の充放電を繰り返し、３００回繰り返し使用後の電池容量を測定した。その結果を表２に示す。
【００３４】
以上の実施例１〜１２及び比較例１〜６の構成及び結果を、表１、表２および表３にまとめて示す。
【００３５】
【表１】
0003625794.tif 000002
【００３６】
【表２】
0003625794.tif 000003
【００３７】
【表３】
0003625794.tif 000004
【００３８】
表１および表２の結果から明らかなように、本発明の電池パックにおいて、少なくとも単電池１本の円筒状側部の一部に、多孔質シートを捲回することにより、単電池の振動によって惹起する容量低下の問題が改善されることが明らかとなった。また、この多孔性シート被覆の面積が、３０％を下回った場合には、十分な容量低下防止の効果を果たさないことが明らかとなった。
【００３９】
本発明の電池パックを使用した充電式掃除機が電池容量維持率において優れた結果を示すことが明らかとなった。
【００４０】
【発明の効果】
以上詳述したように本発明に係る電池パックによれば、振動や衝撃に対して活物質層が集電体から剥離することを防止できるため、繰り返し使用しても電池容量の低下が少ない電池パックを提供することができる。また、これを用いた充電式掃除機は、電池寿命が長く、信頼性の大きな充電式掃除機が得られた。
【図面の簡単な説明】
【図１】本発明で用いられる巻回型の電池の一部欠截斜視図。
【図２】本発明の単電池側部外表面に被覆材を施した状態を示す概略図。
【図３】本発明の電池パックにおける単電池の配列の例を示す概略図。
【図４】本発明で用いられる単電池の固定のために用いられる支持板。
【図５】本発明の充電式掃除機の断面図。
【符号の説明】
１・・・容器
２・・・絶縁体
３・・・電極群
４・・・正極
５・・・セパレータ
６・・・負極
７・・・絶縁紙
８・・・絶縁封口板
９・・・正極端子
１０・・・正極リード
２１・・・単電池
２２・・・被覆材
３１・・・単電池
３２・・・支持板
４１・・・支持板
４２・・・支持体の穴
５１・・・電池パック
５２・・・電池パック収納部
５３・・・モータ
５４・・・ケーシング
【図１】
0003625794.tif 000005
【図２】
0003625794.tif 000006
【図３】
0003625794.tif 000007
【図４】
0003625794.tif 000008
【図５】
0003625794.tif 000009